(57)【要約】【課題】ＭＦＰなどの画像形成装置において、より高い広告効果を得ることが可能な技術を提供する。【解決手段】  画像形成装置は、当該画像形成装置におけるジョブの実行中において広告用の動画像を表示する表示手段と、表示制御手段とを備える。表示制御手段は、ジョブが動画像よりも先に終了した場合（ステップＳ２２）には、当該動画像の再生を中断し（ステップＳ２４）、当該動画像に関連する静止画像を表示手段に表示させる（ステップＳ２５）。【選択図】図３
2009290656.tif 000002
【特許請求の範囲】
【請求項１】
画像形成装置であって、
前記画像形成装置におけるジョブの実行中において、広告用の動画像を表示する表示手段と、
前記ジョブが前記動画像よりも先に終了した場合には、前記動画像の再生を中断し、前記動画像に関連する静止画像を前記表示手段に表示させる前記表示制御手段と、
を備えることを特徴とする画像形成装置。
【請求項２】
請求項１に記載の画像形成装置において、
前記表示制御手段は、前記動画像が前記ジョブよりも先に終了した場合には、前記動画像に関連する前記静止画像を前記表示手段に表示させることを特徴とする画像形成装置。
【請求項３】
請求項１または請求項２に記載の画像形成装置において、
前記静止画像が表示されている際に、当該静止画像に関連する情報を含む印刷ページの印刷指示を受け付ける印刷指示受付手段、
をさらに備えることを特徴とする画像形成装置。
【請求項４】
請求項１または請求項２に記載の画像形成装置において、
前記静止画像が表示されている際に、当該静止画像に対応する前記動画像を再び再生すべき旨の再生指示を受け付ける再生指示受付手段、
をさらに備えることを特徴とする画像形成装置。
【請求項５】
請求項１ないし請求項４のいずれかに記載の画像形成装置において、
前記静止画像は、前記動画像の最終画面に関する画像であることを特徴とする画像形成装置。
【請求項６】
請求項１ないし請求項５のいずれかに記載の画像形成装置において、
前記表示制御手段は、前記ジョブが前記動画像よりも先に終了した場合、前記ジョブの次のジョブの実行時には、再生順序が規定された複数の動画像のうち前記動画像の次の動画像を再生することを特徴とする画像形成装置。
【請求項７】
請求項１ないし請求項５のいずれかに記載の画像形成装置において、
前記表示制御手段は、複数の動画像のうち、当該画像形成装置における再生回数の少ない動画像を優先的に再生することを特徴とする画像形成装置。
【請求項８】
請求項１ないし請求項５のいずれかに記載の画像形成装置において、
ユーザの電子マネー媒体の媒体識別情報を読み取る読取手段と、
前記表示手段で再生可能な複数の動画像に関する再生履歴を前記媒体識別情報に関連付けて記憶する記憶手段と、
をさらに備え、
前記表示制御手段は、前記読取手段によって再び読み取られた前記媒体識別情報に関連する前記再生履歴を検索し、次に再生すべき動画像を当該再生履歴に基づいて決定することを特徴とする画像形成装置。
【請求項９】
請求項１ないし請求項５のいずれかに記載の画像形成装置において、
ユーザのクレジットカードのカード識別情報を読み取る読取手段と、
前記表示手段で再生可能な複数の動画像に関する再生履歴を前記カード識別情報に関連付けて記憶する記憶手段と、
をさらに備え、
前記表示制御手段は、前記読取手段によって再び読み取られた前記カード識別情報に関連する前記再生履歴を検索し、次に再生すべき動画像を当該再生履歴に基づいて決定することを特徴とする画像形成装置。
【発明の詳細な説明】
【技術分野】
【０００１】
本発明は、画像形成装置に関し、特に当該画像形成装置における広告画像の表示技術に関する。
【背景技術】
【０００２】
コピー機能等を有するマルチ・ファンクション・ペリフェラル（以下、ＭＦＰとも称する）が存在する。このようなＭＦＰは、家庭あるいはオフィス等に配置されて利用されるだけでなく、コンビニエンスストア等において課金装置とともに配置されて利用される。コンビニエンスストア等に配置された当該ＭＦＰを利用することによって、不特定多数の顧客がコピーあるいはファクシミリ通信を行うことが可能である。
【０００３】
このようなＭＦＰにおいて、コピージョブ実行中の待ち時間を利用して、広告を表示する技術が提案されている。例えば、特許文献１においては、ジョブ（コピージョブ等）の実行中に装置の表示部において広告画像を表示することが提案されている（例えば、特許文献１参照）。
【０００４】
【特許文献１】特開２００４−２０８２３９号公報
【発明の開示】
【発明が解決しようとする課題】
【０００５】
ところで、広告画像の再生時間の長さとジョブの実行時間の長さとは一致しないことが多い。そのため、広告画像の再生時間の長さとジョブの実行時間の長さとの関係によっては十分な広告効果が得られないという問題がある。
【０００６】
具体的には、例えばコピー装置において少数枚のコピー動作を行わせる場合には、ジョブ（コピージョブ）の実行時間の長さは比較的短くなる。この場合、ジョブの実行時間の長さが広告画像（動画）の再生時間の長さよりも短くなり、ジョブが広告画像よりも早く終了する。そのため、コピー装置のユーザ（操作者）は、広告動画のうちの比較的重要な画面を見ることなく当該コピー装置から離れてしまうことも多い。この結果、ユーザに対する広告効果は不十分なものになる。特に、広告動画の最終場面（もしくは最終場面に近い場面）に比較的重要な場面が配置されているときには、広告効果の低下は顕著である。
【０００７】
そこで、この発明の課題は、ＭＦＰなどの画像形成装置において、より高い広告効果を得ることが可能な技術を提供することにある。
【課題を解決するための手段】
【０００８】
上記課題を解決すべく、請求項１の発明は、画像形成装置であって、前記画像形成装置におけるジョブの実行中において、広告用の動画像を表示する表示手段と、前記ジョブが前記動画像よりも先に終了した場合には、前記動画像の再生を中断し、前記動画像に関連する静止画像を前記表示手段に表示させる前記表示制御手段とを備えることを特徴とする。
【０００９】
請求項２の発明は、請求項１の発明に係る画像形成装置において、前記表示制御手段は、前記動画像が前記ジョブよりも先に終了した場合には、前記動画像に関連する前記静止画像を前記表示手段に表示させることを特徴とする。
【００１０】
請求項３の発明は、請求項１または請求項２の発明に係る画像形成装置において、前記静止画像が表示されている際に、当該静止画像に関連する情報を含む印刷ページの印刷指示を受け付ける印刷指示受付手段、をさらに備えることを特徴とする。
【００１１】
請求項４の発明は、請求項１または請求項２の発明に係る画像形成装置において、前記静止画像が表示されている際に、当該静止画像に対応する前記動画像を再び再生すべき旨の再生指示を受け付ける再生指示受付手段、をさらに備えることを特徴とする。
【００１２】
請求項５の発明は、請求項１ないし請求項４のいずれかの発明に係る画像形成装置において、前記静止画像は、前記動画像の最終画面に関する画像であることを特徴とする。
【００１３】
請求項６の発明は、請求項１ないし請求項５のいずれかの発明に係る画像形成装置において、前記表示制御手段は、前記ジョブが前記動画像よりも先に終了した場合、前記ジョブの次のジョブの実行時には、再生順序が規定された複数の動画像のうち前記動画像の次の動画像を再生することを特徴とする。
【００１４】
請求項７の発明は、請求項１ないし請求項５のいずれかの発明に係る画像形成装置において、前記表示制御手段は、複数の動画像のうち、当該画像形成装置における再生回数の少ない動画像を優先的に再生することを特徴とする。
【００１５】
請求項８の発明は、請求項１ないし請求項５のいずれかの発明に係る画像形成装置において、ユーザの電子マネー媒体の媒体識別情報を読み取る読取手段と、前記表示手段で再生可能な複数の動画像に関する再生履歴を前記媒体識別情報に関連付けて記憶する記憶手段とをさらに備え、前記表示制御手段は、前記読取手段によって再び読み取られた前記媒体識別情報に関連する前記再生履歴を検索し、次に再生すべき動画像を当該再生履歴に基づいて決定することを特徴とする。
【００１６】
請求項９の発明は、請求項１ないし請求項５のいずれかの発明に係る画像形成装置において、ユーザのクレジットカードのカード識別情報を読み取る読取手段と、前記表示手段で再生可能な複数の動画像に関する再生履歴を前記カード識別情報に関連付けて記憶する記憶手段とをさらに備え、前記表示制御手段は、前記読取手段によって再び読み取られた前記カード識別情報に関連する前記再生履歴を検索し、次に再生すべき動画像を当該再生履歴に基づいて決定することを特徴とする。
【発明の効果】
【００１７】
請求項１ないし請求項９に記載の発明によれば、動画像よりもジョブが先に終了した場合には、動画像の再生が中断され、動画像に関連する静止画像が表示されるので、動画像が漫然と再生され続ける場合に比べて、高い広告効果を得ることが可能である。
【００１８】
特に、請求項２に記載の発明によれば、ジョブよりも動画像が先に終了した場合にも、動画像に関連する静止画像が表示されるので、高い広告効果を得ることが可能である。
【００１９】
また特に、請求項３に記載の発明によれば、当該静止画像を印刷することが可能になるので、広告効果が高い。
【００２０】
また特に、請求項４に記載の発明によれば、動画像を再び再生閲覧することが可能になるので、広告効果が高い。
【００２１】
また特に、請求項６に記載の発明によれば、ジョブが動画像よりも先に終了した場合、次のジョブの実行時には、複数の動画像のうち、当該動画像ではなく、当該動画像の次の動画像が再生されるので、動画像の再生機会の均等化を図ることができる。
【００２２】
また特に、請求項７に記載の発明によれば、複数の動画像のうち、画像形成装置における再生回数の少ない動画像が優先的に再生されるので、動画像の再生機会の均等化を図ることができる。
【００２３】
また特に、請求項８および請求項９に記載の発明によれば、ユーザの好みに応じた広告を表示することが可能になるので、高い広告効果を得ることができる。
【発明を実施するための最良の形態】
【００２４】
以下、本発明の実施形態を図面に基づいて説明する。
【００２５】
＜１．構成＞
図１は、マルチ・ファンクション・ペリフェラル（Multi Function Peripheral）（ＭＦＰとも略称する）１の外観図であり、図２は、当該ＭＦＰ１の機能的構成を示す機能ブロック図である。
【００２６】
ＭＦＰ１は、画像形成装置として機能する。より具体的には、ＭＦＰ１は、スキャナ機能、プリンタ機能、コピー機能およびファクシミリ通信機能などを備える装置（複合機とも称する）として構成される。
【００２７】
具体的には、図２の機能ブロック図に示すように、ＭＦＰ１は、画像読取部２、印刷出力部３、通信部４、格納部５、入出力部６、課金管理部７およびコントローラ９等を備えており、これらの各部を複合的に動作させることによって、各種の機能を実現する。
【００２８】
画像読取部２は、ＭＦＰ１の所定の位置に載置された原稿を光学的に読み取って、当該原稿の画像データ（原稿画像とも称する）を生成する処理部である。画像読取部２は、スキャナ部とも称される。また、画像読取部２は、画像データとして画像を形成する画像形成部とも称される。
【００２９】
印刷出力部３は、対象画像に関する画像データに基づいて紙などの各種の媒体上に画像を印刷出力する出力部である。印刷出力部３は、当該媒体上に画像を形成する画像形成部とも称される。
【００３０】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１は、所望の相手先との間で各種のデータ（利用情報データ等を含む）を授受することが可能である。
【００３１】
格納部５は、ハードディスクドライブ（ＨＤＤ）等の格納装置で構成される。この格納部５には、画像読取部２等で生成された原稿画像（画像データ）が格納される。また、格納部５には、複数の広告画像ＰＴも格納される。これらの広告画像ＰＴには、格納部５に当初から格納されている画像の他、通信部４によってネットワークＮＷを介してサーバ９０等から取得された画像も含まれる。
【００３２】
入出力部６は、ＭＦＰ１に対する入力を受け付ける操作入力部６ａと、各種情報の表示出力を行う表示部６ｂとを備えている。詳細には、ＭＦＰ１の前側上部には操作パネル６ｃ（図１参照）が設けられている。この操作パネル６ｃは、液晶表示パネルに圧電センサ等が埋め込まれて構成されており、表示部６ｂの一部として機能するとともに、操作入力部６ａの一部としても機能する。
【００３３】
課金管理部７は、ＭＦＰ１でのジョブに関する課金処理を管理する。課金管理部７は、コイン投入部７ａおよびカードリーダ７ｂ等を有している。ＭＦＰ１の処理に対する料金は、コイン投入部７ａに投入された硬貨、あるいは、カードリーダ７ｂに挿入（ないし近接）された電子マネーカード等によって支払われる。
【００３４】
コントローラ９は、ＭＦＰ１を統括的に制御する制御装置であり、ＣＰＵと、各種の半導体メモリ（ＲＡＭおよびＲＯＭ等）とを備えて構成される。コントローラ９の制御下において各種の処理部が動作することによって、ＭＦＰ１の各種の機能が実現される。例えば、コントローラ９の制御下において、画像読取部２を用いて所望の画像を光学的に読み取ることによって、原稿をスキャニングした画像（原稿画像）が取得され、スキャナ機能が実現される。また、コントローラ９は、次述するような各種の処理をも制御する。
【００３５】
コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００３６】
具体的には、コントローラ９は、印刷制御部１１および表示制御部１３を含む各種の処理部を実現する。
【００３７】
印刷制御部１１は、印刷出力部３の動作を制御して、対象画像に関する画像データに基づいて紙などの各種の媒体に画像を印刷出力する出力部である。印刷制御部１１は、画像読取部２によってスキャンされた画像を印刷出力することによって、コピー動作を実現する。
【００３８】
表示制御部１３は、表示部６ｂ（操作パネル６ｃ等）における表示動作を制御する。例えば、表示制御部１３は、所定のジョブ（コピージョブ等）の実行中において、広告用の動画像等を表示部６ｂに表示させる動作を制御する。
【００３９】
＜２．動作＞
つぎに、図３および図４のフローチャート等を参照しながら、ＭＦＰ１における動作について説明する。ここでは、ユーザが、課金管理部７に対して所定の操作を行い、当該ユーザによるジョブ（ここではコピージョブ）の受付処理が可能な状態になっているものとする。
【００４０】
まず、ユーザによってコピー開始ボタンが押下され、コピージョブが開始されると、ステップＳ１１〜Ｓ１６において再生対象の広告画像が決定される。
【００４１】
具体的には、ステップＳ１１において、当該ＭＦＰ１における再生履歴情報が複数の広告画像のそれぞれについて取得される。詳細には、前回再生された画像ＰＴ（詳細には、ＰＴ（ｎ−１））の画像番号（ｎ−１）が取得される。この再生履歴情報は、後述するステップＳ１６等で利用される。
【００４２】
次のステップＳ１２においては、複数の広告画像ＰＴｉに関する各サムネイル画像ＴＮｉが操作パネル６ｃ（表示部６ｂ）に一覧表示される。
【００４３】
図５は、操作パネル６ｃに、これらのサムネイル画像ＴＮｉが表示されている様子を示す図である。ここでは、上段および下段にそれぞれ３つずつの合計６つのサムネイル画像ＴＮ１〜ＴＮ６が表示されている。なお、６つのサムネイル画像ＴＮ１〜ＴＮ６は、６つの広告画像ＰＴ１〜ＰＴ６にそれぞれ対応するサムネイル画像である。
【００４４】
図５の一覧表示画面は、再生動画像選択用の表示画面である。ユーザは、これら複数のサムネイル画像ＴＮ１〜ＴＮ６の中から、所望の画像を選択する。
【００４５】
具体的には、操作パネル６ｃにおいて当該所望の画像が表示されている位置をユーザが指で押下すると、当該画像が再生対象画像として決定される（ステップＳ１３）。例えば、操作パネル６ｃにおける画像ＰＴ５の表示位置が押下されると、画像ＰＴ５が再生対象画像として決定される（ステップＳ１４）。このようにして、ユーザが複数の動画像の中から所望の画像を選択できるので、再生画像選択にユーザの意向を反映させることができる。
【００４６】
このような選択操作は、基準時点（例えばサムネイル画像の表示開始時点）から期間ＴＨ１（例えば数秒程度）が経過するまで受け付けられる。
【００４７】
一方、期間ＴＨ１経過後においても操作者からの選択指示が付与されない場合には、ステップＳ１５からステップＳ１６に進む。
【００４８】
ステップＳ１６では、ステップＳ１１で取得された再生履歴情報に基づいて再生対象画像が決定される。具体的には、前回再生された画像ＰＴ（ｎ−１）の次の画像番号ｎの画像ＰＴ（ｎ）が再生対象画像として決定される。例えば、直前のジョブにおいて再生された画像ＰＴ（ｎ−１）の画像番号（ｎ−１）が「２」であるときには、今回のジョブにおいては画像番号「３」の画像ＰＴ３が再生対象画像として決定される。なお、画像番号によって再生順序が規定されているものとすると、このような動作は、再生順序が規定された複数の動画像のうち前回の再生対象の動画像の次の動画像が再生対象画像として決定される動作である、とも表現される。
【００４９】
このようにして再生対象の広告画像が決定されると、ステップＳ２１において再生対象の広告画像（動画像）ＰＴｊの再生が開始される。
【００５０】
その後、ステップＳ２２、Ｓ２３においては、ジョブの終了と広告画像ＰＴｊ（詳細には動画像ＭＶｊ（後述））の再生終了とのいずれが先であるかが判定される。表示制御部１３は、この判定結果に基づいて、操作パネル６ｃでの表示動作を次のように制御する。
【００５１】
ジョブが動画像ＭＶｊの再生よりも先に終了した場合には、ステップＳ２２からステップＳ２４に進む。そして、動画像ＭＶｊの再生が中断され（ステップＳ２４）、さらに、動画像ＭＶｊの最終画面と実質的に同一の静止画像ＳＰが操作パネル６ｃに表示される（ステップＳ２５）。図６は、この静止画像ＳＰの一例を示す図である。
【００５２】
一方、動画像ＭＶｊの再生がジョブよりも先に終了した場合には、ステップＳ２２，Ｓ２３からステップＳ２５に進み、動画像ＭＶｊの最終画面と同一の静止画像ＳＰが操作パネル６ｃに表示される。
【００５３】
なお、いずれの場合にも、ステップＳ２５の次のステップＳ２６（図４）において再生履歴情報が更新される。具体的には、再生されていた動画像ＭＶｊの画像番号等が記憶される。
【００５４】
ここで、図７は、広告画像ＰＴｊの構成について示す概念図である。広告画像ＰＴｊは、動画像ＭＶｊを備えて構成されている。動画像ＭＶｊは、複数のフレーム画像ＦＲ１，ＦＲ２，...，ＦＲｋが微小時間間隔Δｔ（例えば１／３０秒）で表示されることによって、動画として視認される。
【００５５】
また、動画像ＭＶの最終画面（最終フレーム）ＦＲｋは、静止画像ＳＰとしても形成されている。上述したように、動画像の中断時（ステップＳ２４，Ｓ２５）および正常終了時（ステップＳ２３，Ｓ２５）には、動画像ＭＶの最終フレームＦＲｋと実質的に同一の静止画像ＳＰが操作パネル６ｃに表示される。
【００５６】
図８および図９は、このような動作を概念的に示すタイムチャートである。
【００５７】
図９に示すように、時刻Ｔ２１において動画像ＭＶｊの再生がジョブよりも先に終了した場合には、動画像ＭＶｊの最終画面と同一の静止画像ＳＰが当該時刻Ｔ２２から操作パネル６ｃに表示される。時刻Ｔ２２は、時刻Ｔ２１の直後ないし短時間経過後（例えば、０．５秒後あるいは１秒後）の時刻である。
【００５８】
一方、図８に示すように、ジョブが動画像ＭＶｊの再生よりも先に時刻Ｔ１１において終了した場合には、動画像ＭＶｊの再生が中断される。そして、その直後ないし短時間経過後（例えば、０．５秒後あるいは１秒後）の時刻Ｔ１２から、広告画像ＰＴｊの最終画面と同一の静止画像ＳＰが操作パネル６ｃに表示される。
【００５９】
この静止画像ＳＰには、図６に示すように、２つの仮想的なボタンＢＮ１，ＢＮ２が設けられている。１つは、「印刷」ボタンＢＮ１であり、他の１つは「もう一度見る」ボタン（再閲覧ボタンとも称する）ＢＮ２である。
【００６０】
時刻Ｔ２２（図９）あるいは時刻Ｔ１２（図８）から所定の期間ＴＨ２が経過するまで（換言すれば、静止画像ＳＰが表示されている期間内）に、両ボタンＢＮ１，ＢＮ２のいずれかが押下されると、押下されたボタンの種類に応じた処理が実行される。
【００６１】
例えば、ボタンＢＮ１が押下された場合には、ステップＳ２７（図４）からステップＳ３０に進み、印刷出力が行われる。具体的には、印刷制御部１１および印刷出力部３によって、静止画像ＳＰに対応する広告画像ＰＴｊに関する印刷出力が行われる。例えば、当該広告画像ＰＴｊに関連する商品情報（ないしキャンペーン情報）等が付加された印刷ページが、コピージョブによる印刷出力物の後に追加的に印刷出力される。
【００６２】
このように、ボタンＢＮ１は、静止画像ＳＰに関連する情報を含む印刷ページの印刷指示（入力）を受け付け、印刷制御部１１および印刷出力部３は、当該印刷指示に応じて印刷出力動作を実行する。なお、その後、ステップＳ１２に戻る。
【００６３】
また、ボタンＢＮ２が押下された場合には、ステップＳ２８からステップＳ３１に進み、表示制御部１３によって、当該静止画像ＳＰに対応する動画像ＭＶｊ（すなわち広告画像ＰＴｊ）が再び再生されるべき旨が決定される。そして、ステップＳ２１に戻り、動画像ＭＶｊの再表示処理が実行される。
【００６４】
このように、ボタンＢＮ２は、静止画像ＳＰに対応する動画像ＭＶｊを再び再生（表示）すべき旨の再生指示（再表示指示とも称する）を受け付け、表示制御部１３は、当該再生指示に応じて当該動画像ＭＶｊを再び操作パネル６ｃに表示する。
【００６５】
一方、両ボタンＢＮ１，ＢＮ２のいずれも押下されないまま期間ＴＨ２が経過した場合には、ステップＳ２９からステップＳ１２に戻り、ステップＳ１３以後の動作が繰り返される。
【００６６】
また、ステップＳ１３以後あるいはステップＳ２１以後においては、上述したような動作が同様に実行される。また、ジョブ終了後において、適宜のタイミングで支払処理が完了すると、図８および図９の処理は終了する。なお、現在実行中のジョブの終了後において新たなジョブが開始される際には、例えば、ステップＳ１１からの動作が再び実行されればよい。
【００６７】
ところで、ステップＳ１２において再表示されたサムネイル画像の一覧表示画面においては、閲覧済みの画像と未閲覧の画像とが互いに区別された態様で表示されることが好ましい。
【００６８】
図１０は、このような態様の一例を示す図である。図１０においては、画像ＰＴ２のサムネイル画像の周囲に縁取りＥＧが付されることによって、画像ＰＴ２が閲覧済みの画像であることが示されている。一方、未閲覧の画像ＰＴ１，ＰＴ３〜ＰＴ６の各サムネイル画像には縁取りは付されておらず、画像ＰＴ１，ＰＴ３〜ＰＴ６が未閲覧の画像であることが示されている。このように、操作パネル６ｃの表示画面においては、閲覧済みの画像ＰＴ２に対応するサムネイル画像と未閲覧の画像ＰＴ１，ＰＴ３〜ＰＴ６に対応するサムネイル画像とが異なる態様で表示されている。これによれば、ユーザは閲覧済みの広告画像を容易に識別できるので、利便性が高い。
【００６９】
なお、ここでは、縁取りの有無に応じて、閲覧済みの画像と未閲覧の画像とを区別する場合を例示しているが、これに限定されない。例えば、閲覧済みの画像と未閲覧の画像とでその縁取りの色を変更するようにしてもよい。あるいは、閲覧済みの画像に対してのみ、所定の閲覧済みマークを付するようにしてもよい。
【００７０】
以上のような動作によれば、動画像ＭＶｊよりもジョブが先に終了した場合（図８）には、動画像ＭＶｊの再生動作が中断され、動画像ＭＶｊに関連する静止画像ＳＰが表示される（図３のステップＳ２４，Ｓ２５）。したがって、動画像ＭＶｊがジョブ終了後においても引き続き（漫然と）再生され続ける場合に比べて、当該静止画像によって高い広告効果を得ることが可能である。特に、ユーザに非常に強い印象を与える画面を静止画像ＳＰとして設けることにより、広告効果をさらに高めることが可能である。
【００７１】
また、動画像ＭＶｊがジョブよりも先に終了した場合（図９）には、次の動画像ＭＶ（ｊ＋１）が再生表示される前に、動画像ＭＶｊに関連する静止画像が操作パネル６ｃに表示される（図３のステップＳ２３，Ｓ２５）。したがって、複数の動画像ＭＶｊ，ＭＶ（ｊ＋１），...が次々に連続的に再生される場合に比べて、広告効果を高めることが可能である。
【００７２】
さらに、上記の動作においては、静止画像ＳＰが表示されている期間に、当該静止画像ＳＰに関連する情報を含む印刷ページの印刷指示が受け付けられる。そして、当該印刷指示に応じて印刷出力が行われる。したがって、ユーザが興味を持った情報を、印刷出力物として直ちに提供することができるので、非常に高い広告効果を得ることができる。
【００７３】
また、静止画像ＳＰが表示されている期間に、当該静止画像ＳＰに対応する動画像ＭＶｊを再び再生すべき旨の再生指示が受け付けられる。そして、当該再生指示に応じて同じ動画像ＭＶｊが再び再生される。したがって、ユーザが興味を持った広告画像を再び当該ユーザに対して提供することができるので、非常に高い広告効果を得ることができる。
【００７４】
また、今回のジョブが動画像ＭＶｊよりも先に終了した場合、その次のジョブの実行時に自動再生されるときには、複数の動画像のうち、今回のジョブの実行時に再生されていた当該動画像ＭＶｊではなく、当該動画像ＭＶｊの次の動画像ＭＶ（ｊ＋１）が再生される（ステップＳ１６，Ｓ２１）。したがって、同じ動画像ＭＶｊが特に重複して再生されることを防止し、複数の動画像の再生機会の均等化を図ることができる。
【００７５】
＜３．その他＞
以上、この発明の実施の形態について説明したが、この発明は上記説明した内容のものに限定されるものではない。
【００７６】
たとえば、上記実施形態においては、広告画像ＰＴｊの動画像ＭＶｊの最終画面と同様の静止画像ＳＰを、動画像表示の中断（ステップＳ２４）後に表示する場合を例示したが、これに限定されない。例えば、動画像ＭＶｊの最終場面に近い場面に配置されたフレーム画像と同様の静止画像を、動画像表示の中断後等に表示するようにしてもよい。あるいは、動画像ＭＶｊの中盤の画面と同様の静止画像を動画像表示の中断後等に表示するようにしてもよい。さらには、動画像ＭＶｊの最初のフレーム画像（トップ画面）と同様の静止画像を、動画像表示の中断後等に表示するようにしてもよい。このように、再生対象の動画像に関連する静止画像（詳細には、動画像内の任意の場面に関連する静止画像）を、動画像表示の中断後等に表示するようにしてもよい。
【００７７】
また、上記実施形態においては、再生履歴情報として、前回再生された画像ＰＴ（ｎ−１）の画像番号（ｎ−１）が取得される（ステップＳ１１）場合を例示したが、これに限定されない。例えば、各画像ＰＴｉ（ｉ＝１，２，...）の再生回数が取得されるようにしてもよい。
【００７８】
そして、ステップＳ１６においては、操作パネル６ｃにおいて再生可能な複数の動画像のうち、当該ＭＦＰ１における再生回数の少ない動画像が優先的に再生表示されるようにしてもよい。例えば、各画像ＰＴｉ（ｉ＝１，２，...，６）の再生回数が図１１に示すような値であるときには、最も少ない再生回数（「７回」）の動画像ＰＴ５，ＰＴ６のいずれかを、次に再生すべき広告画像として決定するようにすればよい。また、最も再生回数の少ない動画像として複数の動画像（例えば動画像ＰＴ５，ＰＴ６）が存在するときには、そのうち、規定された再生順序に最も近い画像（具体的には、動画像ＰＴ５）を、次に再生すべき広告画像として決定するようにすればよい。
【００７９】
このような動作によれば、動画像の再生機会の均等化を図ることができる。
【００８０】
また、上記実施形態においては、ＭＦＰ１における再生履歴情報（ＭＦＰ１単位での再生履歴）を利用する技術を例示したが、これに限定されない。例えば、電子マネーカード（携帯型電子マネー媒体とも称する）が利用される場合には、当該電子マネーカードの利用者ごとの再生履歴（換言すれば、電子マネーカード単位の再生履歴）を記録しておき、当該再生履歴に基づいて、次に再生すべき画像を決定するようにしてもよい。なお、このような制御動作は、表示制御部１３によって実行されればよい。
【００８１】
より詳細には、カードリーダ７ｂ等による電子マネーカードの認識動作時に、ＭＦＰ１は、当該電子マネーカードの媒体識別情報（カード識別情報）（具体的には、カード番号等）を読み取る。具体的には、ユーザによって所持される電子マネーカードがカードリーダ７ｂに挿入（ないし近接）される際に、ＭＦＰ１は、当該電子マネーカードの媒体識別情報を読み取る。
【００８２】
そして、ＭＦＰ１は、当該ユーザの利用中に閲覧された広告画像の画像番号（換言すれば、複数の動画像に関する再生履歴）を当該カード識別情報に関連付けてＭＦＰ１の格納部５に格納（記録）しておく。
【００８３】
さらに、ユーザがＭＦＰ１の利用を一旦終了した後、再び、同じユーザが同じ電子マネーカードをＭＦＰ１のカードリーダ７ｂに挿入等する状況を想定する。この際には、ＭＦＰ１は当該電子マネーカードのカード識別情報を再び読み取るとともに、当該カード識別情報に対応する再生履歴をＭＦＰ１の格納部の中から検索して抽出する。そして、ＭＦＰ１は、ステップＳ１３で再生対象の動画が明示的に指定されなかった場合に自動的に再生すべき画像（端的に言えば、次に再生すべき画像）を、ステップＳ１６において当該再生履歴に基づいて決定する。
【００８４】
例えば、ＭＦＰ１は、再生履歴に記録された広告画像（すなわち当該ユーザによって以前に閲覧された広告画像）の種類にしたがって当該ユーザの嗜好を推定し、当該嗜好に応じた広告画像を選択する。より詳細には、ＭＦＰ１は、複数の広告画像を商品ジャンル別に分類しておき、当該ユーザが最も好む商品ジャンルに分類される広告画像（特に、そのうち未視聴の広告画像）を、優先的に自動再生対象の画像として決定するようにすればよい。これによれば、個人の嗜好に応じて広告画像を再生することが可能になるため、更に高い広告効果を得ることが可能である。
【００８５】
なお、再生履歴としては、ユーザによる明示的な選択（ステップＳ１３）に応じて再生された画像情報を記録しておくようにしてもよい。そして、当該選択された画像の種類に基づいて、当該ユーザの嗜好を推定するようにしてもよい。これによれば、ユーザの嗜好をさらに正確に反映させることが可能である。
【００８６】
また、上記変形例においては、電子マネーカードについて例示したが、これに限定されない。例えば、カード識別番号が付与されたクレジットカード（例えばＩＣクレジットカード）についても同様の思想を適用することができる。具体的には、ＭＦＰ１は、ユーザのクレジットカードのカード識別情報をカードリーダ７ｂによって読み取り、複数の動画像に関する再生履歴を当該カード識別情報に関連付けて格納部５に記憶しておく。そして、同じユーザが当該ＭＦＰ１を次に利用する際には、カードリーダ７ｂによって再び読み取られた当該カード識別情報に対応する再生履歴を検索して抽出し、上記と同様にして、次に再生表示すべき動画像を決定するようにすればよい。
【００８７】
また、上記実施形態においては、画像形成装置として、主にＭＦＰを中心に例示したが、これに限定されない。例えば、プリンタ、スキャナ、ファクシミリ、複合機等の各種の画像形成装置に対しても上記の思想を適用することができる。また、コピージョブだけでなく、プリントジョブ、スキャンジョブ、ファクシミリ通信ジョブなど、画像形成装置における各種のジョブについて上記の思想を適用することができる。
【図面の簡単な説明】
【００８８】
【図１】ＭＦＰの外観図である。
【図２】ＭＦＰの機能的構成を示す機能ブロック図である。
【図３】ＭＦＰの動作を示すフローチャートである。
【図４】ＭＦＰの動作を示すフローチャートである。
【図５】複数のサムネイル画像が操作パネルに表示される様子を示す図である。
【図６】静止画像の一例を示す図である。
【図７】広告画像の構成について示す概念図である。
【図８】ジョブが広告画像よりも先に終了する際の動作を示す概念図である。
【図９】広告画像がジョブよりも先に終了する際の動作を示す概念図である。
【図１０】閲覧済みの画像が未閲覧の画像と区別して表示される様子を示す図である。
【図１１】各画像の再生回数（再生履歴）を示す図である。
【符号の説明】
【００８９】
１  ＭＦＰ
２  画像読取部
３  印刷出力部
４  通信部
５  格納部
６ｃ  操作パネル
７ｂ  カードリーダ
ＭＶｊ，ＭＶ  動画像
ＮＷ  通信ネットワーク
ＰＴｉ，ＰＴ  広告画像
ＳＰ  静止画像
ＴＮｉ  サムネイル画像
【図１】
2009290656.tif 000003
【図２】
2009290656.tif 000004
【図３】
2009290656.tif 000005
【図４】
2009290656.tif 000006
【図５】
2009290656.tif 000007
【図６】
2009290656.tif 000008
【図７】
2009290656.tif 000009
【図８】
2009290656.tif 000010
【図９】
2009290656.tif 000011
【図１０】
2009290656.tif 000012
【図１１】
2009290656.tif 000013